(57)【要約】【課題】ファッション性があり、子供などに体重計使用による体重管理の継続意欲を持たせることができる体重計を提供する。【解決手段】本体重計は、目標体重記憶手段に記憶された目標体重と、体重測定手段により測定された体重を比較手段により比較し、比較結果により異なる通報を行なう。【選択図】  図２
2006038534.tif 000002
【特許請求の範囲】
【請求項１】
体重計本体と、
この体重計本体に設けられ体重測定者の目標体重を入力する目標体重入力手段と、
この目標体重入力手段により入力された体重値を表示する目標体重表示部と、
体重測定者の体重を測定する体重測定手段と、
この体重測定手段により測定された体重値を表示する測定体重表示部と、
前記目標体重入力手段から入力された目標体重を記憶する目標体重記憶手段と、
この目標体重記憶手段に記憶された前記目標体重と前記体重測定手段により測定された体重を比較する比較手段と、
この比較手段による比較の結果、目標体重を超過している場合と目標体重を超過していない場合に、異なる通報を出力する通報手段を有することを特徴とする体重計。
【請求項２】
体重計本体と、
この体重計本体に設けられ体重測定者の目標体重を入力する目標体重入力手段と、
この目標体重入力手段により入力された体重値を表示する目標体重表示部と、
体重測定者の体重を測定する体重測定手段と、
この体重測定手段により測定された体重値を表示する測定体重表示部と、
前記目標体重入力手段から入力された目標体重を記憶する目標体重記憶手段と、
この目標体重記憶手段に記憶された前記目標体重と前記体重測定手段により測定された体重を比較する比較手段と、
この比較手段による比較の結果、目標体重を超過した場合に、その超過の度合に応じて異なる通報を出力する通報手段を有することを特徴とする体重計。
【請求項３】
前記目標体重表示部に表示される複数の体重測定者の目標体重を切り換えて表示する切り換えボタンと、表示体重値を上下させる目標体重変更ボタンを有することを特徴とする請求項１または２に記載の体重計。
【請求項４】
前記通報手段が発する通報出力は、体重測定者の体重によって、異なる通報の内容を出力する超過の度合が異なることを特徴とする請求項２または３に記載の体重計。
【請求項５】
前記通報手段は、スピーカ手段であることを特徴とする請求項１ないし４のいずれか１項に記載の体重計。
【請求項６】
前記通報手段は、異なる色の光を発生する光発生手段であることを特徴とする請求項１ないし５のいずれか１項に記載の体重計。
【請求項７】
前記通報手段は、超過の度合を示す文字あるいは図形を表示する表示手段であることを特徴とする請求項１ないし６のいずれか１項に記載の体重計。
【請求項８】
前記通報手段は、体重計本体の一部あるいは全体を振動させる振動発生手段であることを特徴とする請求項１ないし７のいずれか１項に記載の体重計。
【請求項９】
前記通報手段は、前記スピーカ手段、前記光発生手段、前記表示手段、前記振動発生手段の少なくとも二つの組み合わせであることを特徴とする請求項１ないし８のいずれか１項に記載の体重計。
【請求項１０】
前記比較手段による比較の結果が目標体重を超過していない場合、その結果を出力して通報する通報手段を有することを特徴とする請求項２ないし９のいずれか１項に記載の体重計。
【請求項１１】
前記目標体重入力手段は、体重測定者の身長を入力することにより、予め記憶された身長と標準体重あるいは理想体重の相関から目標体重を呼び出すことを特徴とする請求項１ないし１０のいずれか１項に記載の体重計。
【発明の詳細な説明】
【技術分野】
【０００１】
本発明は体重計に係り、特に測定体重を目標体重と比較し、比較結果により異なる通報を行なう体重計に関する。
【背景技術】
【０００２】
近年、健康志向からダイエットに対する関心が高まり、家庭内でも自分の体重を管理することが行われている。その管理として、標準体重あるいは理想体重を設定し、この体重を維持しあるいはこの体重に到達する努力がなされている。
【０００３】
体重測定者の体重測定には、例えば特許文献１のような体重計が用いられる。
【０００４】
しかし、特許文献１のような体重計は、測定された体重と標準体重あるいは理想体重との差を単に表示するだけであり、単調であり、ファッション性に乏しく、子供などの継続的使用の意欲を減退させる。
【特許文献１】実開平６−４９９６９号公報
【発明の開示】
【発明が解決しようとする課題】
【０００５】
本発明は上述した事情を考慮してなされたもので、ファッション性があり、子供などに体重計使用による体重管理の継続意欲を持たせることができる体重計を提供することを目的とする。
【課題を解決するための手段】
【０００６】
上述した目的を達成するため、本発明に係る体重計は、体重計本体と、この体重計本体に設けられ体重測定者の目標体重を入力する目標体重入力手段と、この目標体重入力手段により入力された体重値を表示する目標体重表示部と、体重測定者の体重を測定する体重測定手段と、  この体重測定手段により測定された体重値を表示する測定体重表示部と、  前記目標体重入力手段から入力された目標体重を記憶する目標体重記憶手段と、この目標体重記憶手段に記憶された前記目標体重と前記体重測定手段により測定された体重を比較する比較手段と、この比較手段による比較の結果、目標体重を超過している場合と目標体重を超過していない場合に、異なる通報を出力する通報手段を有することを特徴とする。
【０００７】
また、本発明に係る体重計は、体重計本体と、この体重計本体に設けられ体重測定者の目標体重を入力する目標体重入力手段と、この目標体重入力手段により入力された体重値を表示する目標体重表示部と、体重測定者の体重を測定する体重測定手段と、この体重測定手段により測定された体重値を表示する測定体重表示部と、前記目標体重入力手段から入力された目標体重を記憶する目標体重記憶手段と、この目標体重記憶手段に記憶された前記目標体重と前記体重測定手段により測定された体重を比較する比較手段と、この比較手段による比較の結果、目標体重を超過した場合に、その超過の度合に応じて異なる通報を出力する通報手段を有することを特徴とする。
【発明の効果】
【０００８】
本発明に係る体重計によれば、ファッション性があり、子供などに体重計使用による体重管理の継続意欲を持たせることができる体重計を提供することができる。
【発明を実施するための最良の形態】
【０００９】
以下、本発明に係る体重計の第１実施形態について添付図面を参照して説明する。
【００１０】
以下、本発明に係る体重計の第１実施形態について添付図面を参照して説明する。
【００１１】
図１は本発明の第１実施形態に係る体重計の概念図である。
【００１２】
図１に示すように、本第１実施形態に係る体重計１は、体重計本体２を有し、この体重計本体２は、扁平長方体の中空形状をなし、上面上周辺部に標準体重あるいは理想体重である目標体重を入力する目標体重入力手段３が設けられ、この目標体重入力手段３は、体重測定者別に入力ボタンが複数設けられており、例えば父親用入力ボタン３ｆ、母親用入力ボタン３ｍ、子供用入力ボタン３ｂ、子供用入力ボタン３ｇが設けられている。さらに、標準体重入力手段３に隣接して目標体重値を表示する目標体重表示部４及び測定された体重値を表示する測定体重表示部５が液晶表示素子により一体に設けられ、また、標準体重入力手段３に隣接して、目標体重値を適宜変更できるアップダン式の目標体重値変更ボタン３ｅが設けられている。
【００１３】
図２に示すように、さらに、体重計本体２には、体重測定者の体重を測定する体重測定手段６と、目標体重入力手段３から入力された目標体重を記憶する目標体重記憶手段７と、この目標体重記憶手段７に記憶された目標体重と体重測定手段５により測定された体重を比較する比較手段８と、この比較手段８による比較の結果、目標体重を超過した場合に、その超過の度合に応じて異なる通報を出力する通報手段９、電源としての電池（図示せず）が内装されている。
【００１４】
目標体重入力手段３は、体重測定者別に入力ボタンとアップダン式の目標体重値変更ボタンとの組み合わせによって入力する例で説明したが、体重測定者の身長を入力し、予め身長との相関から標準体重あるいは理想体重をメモリに記憶させておき、この標準体重あるいは理想体重を呼び出し、これを目標体重としてもよい。
【００１５】
体重測定手段６は、体重計本体２の中央部に位置し、圧電素子を用いた重量センサーであり、圧電素子に与えられた荷重から変換された電圧信号をもとに重量に換算するものであり、体重測定者の体重を電圧信号に換えて体重を測定するようになっている。
【００１６】
また、体重測定手段６における重量換算手段、目標体重記憶手段７と、比較手段８の制御は、インターフェイスを介して、ＣＰＵ１１がＲＯＭ及びＲＡＭとデータのやりとりを行いながらＲＯＭに記憶されている制御プログラムを実行することによって実現される。
【００１７】
通報手段９は、例えば圧電式スピーカからなり音を発生するスピーカ手段９ａと、体重計本体２の上面外周辺部に設けられた例えばＬＥＤ素子からなり、異なる色の光を発生する光発生手段９ｂから構成されている。
【００１８】
通報手段９による通報方法としては、その超過の度合に応じて異なる通報を出力する。比較手段８による比較の結果、例えば６０ｋｇの目標体重を超過した場合に、６１ｋｇ以下では、スピーカ手段９ａから「ちょっと」と音声を発生させ、これと同時に光発生手段９ｂをオレンジ色に発光させる。６１ｋｇを超えると、スピーカ手段９ａから「ブー」と音声を発生させ、これと同時に光発生手段９ｂを赤色に発光させる。これに対して、６１ｋｇ以下では、スピーカ手段９ａから「ちょっと」と音声を発生させ、これと同時に光発生手段９ｂをオレンジ色に発光させる。必ずしも設ける必要はないが、６０ｋｇ以下では、スピーカ手段９ａから「ピンポン」と音を発生させ、これと同時に光発生手段９ｂをブルー色に発光させるようにするのが好ましい。
【００１９】
また、通報手段９は、この通報手段９が発する通報出力が、体重測定者の体重値によって、異なる通報を出力する超過の度合が異なっている。例えば、体重が５０ｋｇの体重測定者の場合、スピーカ手段９ａから「ちょっと」と音声を発生させ、光発生手段９ｂをオレンジ色に発光させる体重は、５０．５ｋｇ以下であり、スピーカ手段９ａから「ブー」と音声を発生させ、これと同時に光発生手段９ｂを赤色に発光させる体重は５１ｋｇを超える場合であり、さらに、体重が７０ｋｇの体重測定者の場合、スピーカ手段９ａから「ちょっと」と音声を発生させ、光発生手段９ｂをオレンジ色に発光させる体重は、７２ｋｇ以下であり、スピーカ手段９ａから「ブー」と音声を発生させ、これと同時に光発生手段９ｂを赤色に発光させる体重は７５ｋｇを超える場合である。
【００２０】
次に本第１実施形態の体重計の使用例について説明する。
【００２１】
図１及び図２に示すような本第１実施形態の体重計１を用いて、例えば父親が体重を測定する場合、測定開始の最初に、目標体重入力手段３の父親用入力ボタン３ｆを押す。
【００２２】
父親用入力ボタン３ｆを押すと、父親の体重に関係なく、６０ｋｇが表示される。例えば、目標体重が６０ｋｇの父親の場合には、目標体重値変更ボタン３ｅを操作することなく、そのまま、これを目標体重とする。
【００２３】
目標体重が７０ｋｇの父親の場合には、目標体重値変更ボタン３ｅを押して増加させて７０ｋｇに変更し、目標体重が５５ｋｇの父親の場合には、目標体重値変更ボタン３ｅを押して減少させて５５ｋｇに変更する。これにより、目標体重の入力が容易になる。
【００２４】
これら目標体重は目標体重記憶手段７に記憶される。
【００２５】
しかる後、父親は両足を体重測定手段６上に乗せる。体重測定手段６の圧電素子に与えられた体重測定者の体重を電圧信号に換えて体重を測定する。
【００２６】
この測定された体重は、測定体重表示部５に表示される。さらに、目標体重が目標体重記憶手段７から呼び出されて、比較手段８により比較され、この比較手段８による比較の結果、目標体重を超過した場合に、その超過の度合に応じて異なる通報が出力される。
【００２７】
すなわち、比較手段８による比較の結果、６０ｋｇの目標体重を超過した場合に、６１ｋｇ以下では、スピーカ手段９ａから「ちょっと」と音声を発生させ、これと同時に光発生手段９ｂをオレンジ色に発光させる。６１ｋｇを超えると、スピーカ手段９ａから「ブー」と音声を発生させ、これと同時に光発生手段９ｂを赤色に発光させる。これに対して、６１ｋｇ以下では、スピーカ手段９ａから「ちょっと」と音声を発生させ、これと同時に光発生手段９ｂをオレンジ色に発光させる。また、目標体重の６０ｋｇを超えていない場合は、スピーカ手段９ａから「ピンポン」と音を発生させ、これと同時に光発生手段９ｂをブルー色に発光させる。比較値を単に数値で表示するものでなく、音声、音と光で通報し、刺激するので、ファッション性があり、体重計使用による体重管理の継続意欲を持たせることができる。
【００２８】
通報手段９は、体重測定者の体重によって、異なる通報を出力する超過の度合が、異なるようになっており、体重６０ｋｇ、体重が５０ｋｇ及び体重が７０ｋｇの場合では報知内容がことなる。これにより、体重に対する単なる比率のような画一的な通報内容変更基準でなく、使用者の目標達成の意欲を維持させることができる。
【００２９】
また、測定体重表示部５に測定体重が表示された後、体重測定者が、父親用入力ボタン３ｆを再度押すと、図３に示すように、測定日毎の測定体重と目標体重を関連付けて、測定体重表示部５に表示させることができ、便利である。
【００３０】
男子の子供が体重を測定する場合には、測定開始の最初に、目標体重入力手段３の子供ボタン３ｂを押す。子供ボタン３ｂを押すと、子供の体重に関係なく、２５ｋｇが表示される。目標体重が２３ｋｇの子供の場合には、目標体重値変更ボタン３ｅを押して減少させて２３ｋｇに変更する。これら目標体重は目標体重記憶手段７に記憶される。以下同様である。
【００３１】
女子の子供が体重を測定する場合には、測定開始の最初に、目標体重入力手段３の子供ボタン３ｇを押す。子供ボタン３ｇを押すと、子供の体重に関係なく、２０ｋｇが表示される。目標体重が２２ｋｇの子供の場合には、目標体重値変更ボタン３ｅを押して増加させて２３ｋｇに変更する。これら目標体重は目標体重記憶手段７に記憶される。以下同様である。
【００３２】
上記のように、本第１実施形態の体重計によれば、比較値を単に数値で表示するのでなく、音声、音と光で通報し、聴覚、視覚を刺激するので、ファッション性があり、子供などにも使用継続の意欲を持たせることができる。また、これにより、体重に対する単なる比率のような画一的な通報内容変更基準でなく、使用者の目標達成の意欲を維持させることができる。
【００３３】
また、本発明に係る体重計の第２実施形態について説明する。
【００３４】
上記第１実施形態は通報手段がスピーカ手段、光発生手段であるのに対して、本第２実施形態は通報手段がスピーカ手段、表示手段、振動発生手段である。
【００３５】
例えば、図４及び図５に示すように、第２実施形態に係る体重計１Ａは、通報手段９Ａがスピーカ手段９Ａａ、表示手段９Ａｂ、振動発生手段９Ａｄを有しており、スピーカ手段９Ａａは通報内容を言葉、音で知らせるものであり、上記第１実施形態のスピーカ手段と同様であり、また、表示手段９Ａｃは、目標体重表示部４Ａ及び測定体重表示部５Ａを用いることができる。
【００３６】
振動発生手段９Ａｄは、体重計本体２Ａを振動させるものであり、圧電式振動子が用いられ、体重計本体２Ａの側壁に各々設けられている。なお、体重測定者に減量意識を持たせるために、体重計本体２Ａを大きく振動させる場合には、ソレノイド式振動子を用い、電源として商用電源を用いてもよい。
【００３７】
従って、比較手段８Ａによる比較の結果、６０ｋｇの目標体重を超過した場合に、６１ｋｇ以下では、スピーカ手段９Ａａから「ちょっと」と音声を発生させ、これと同時に表示手段９Ａｂに「小太りのパンダの絵」を表示させる。６１ｋｇを超えると、スピーカ手段９Ａａから「ブー」と音を発生させ、これと同時に表示手段９Ａｂに「肥満のパンダの絵」を表示させ、さらに、体重計本体２を振動発生手段９Ａｄの働きで振動させる。
【００３８】
また、６０ｋｇを超えていない場合は、スピーカ手段９ａから「ピンポン」と音を発生させ、これと同時に表示手段ｂに「スリムなパンダの絵」を表示させる。
【００３９】
本第２実施形態に係る体重計は、比較値を単に数値で表示するのでなく、音声、音と絵表示で通報し、さらに、振動により通報するものであり、聴覚、視覚、触覚（体感）を刺激して、体重測定者に自分の体重の記憶を鮮明に残すことができ、さらに、ファッション性があり、体重計使用による体重管理の継続意欲を持たせることができる。
【００４０】
また、本発明に係る体重計の第３実施形態について説明する。
【００４１】
上記第１実施形態は目標体重を超過した場合に、その超過の度合に応じて異なる通報を出力するのに対して、本第３実施形態は目標体重を超過している場合と目標体重を超過していない場合に、異なる通報を出力する。
【００４２】
例えば、図１及び図２に示すような体重計１において、目標体重入力手段３で測定された体重は比較手段で目標体重と比較され、ＣＰＵ１１がＲＯＭ及びＲＡＭとデータのやりとりを行いながらＲＯＭに記憶されている制御プログラムを実行させることにより、測定体重表示部５に測定体重を表示するとともに、比較手段８で比較し、目標体重を超過している場合には、通報手段９のスピーカ手段９ａから「ブー」と音声を発生させ、同時に光発生手段９ｂを赤色に発光させる。目標体重を超過していない場合には、通報手段９のスピーカ手段９ａから「ピンポン」と音を発生させ、同時に光発生手段９ｂを青色に発光させる。
【００４３】
本第３実施形態の体重計は、測定された体重と目標体重を比較して、目標体重を超過しているか否かにより異なる通報を出力させ、ファッション性があり、子供などに体重計使用による体重管理の継続意欲を持たせることができる。
【図面の簡単な説明】
【００４４】
【図１】本発明の第１実施形態に係る体重計の斜視図。
【図２】本発明の第１実施形態に係る体重計に用いられる制御図。
【図３】本発明の第１実施形態に係る体重計を用いた体重値の表示例の図。
【図４】本発明の第２実施形態に係る体重計の一部を切欠して示す斜視図。
【図５】本発明の第２実施形態に係る体重計に用いられる制御図。
【符号の説明】
【００４５】
１  体重計
２  体重計本体
３  目標体重入力手段
４  目標体重表示部
５  測定体重表示部
６  体重測定手段
７  目標体重記憶手段
８  比較手段
９  通報手段
【図１】
2006038534.tif 000003
【図２】
2006038534.tif 000004
【図３】
2006038534.tif 000005
【図４】
2006038534.tif 000006
【図５】
2006038534.tif 000007